(57)【要約】【課題】光源の駆動周波数を変化させることなく、スクロールノイズの発生を抑えること。【解決手段】本発明の電気光学装置は、複数の画素を有し、交流駆動する光源に光が照射される表示パネルと、供給される表示データを蓄積し、当該表示データが読み出されるメモリと、所定の周波数の制御信号を出力する制御信号出力回路と、各走査において、前記メモリから読み出された表示データに応じて前記複数の画素の駆動を行う期間が、前記制御信号の周波数に応じた走査期間となるように、前記表示パネルを走査して駆動する駆動回路と、前記制御信号出力回路から出力される制御信号の周波数を、１または複数の走査毎に所定数範囲内で変更することによって、前記走査期間を変更するとともに、前記制御信号に同期して前記メモリに蓄積された表示データを読み出して前記駆動回路に供給する制御回路とを具備することを特徴とする。【選択図】図２
2009175214.tif 000002
【特許請求の範囲】
【請求項１】
複数の画素を有し、交流駆動する光源に光が照射される表示パネルと、
供給される表示データを蓄積し、当該表示データが読み出されるメモリと、
所定の周波数の制御信号を出力する制御信号出力回路と、
前記メモリから読み出された表示データが供給され、各走査において、当該表示データ
に応じて前記複数の画素の駆動を行う期間が、前記制御信号の周波数に応じた走査期間と
なるように、前記表示パネルを走査して駆動する駆動回路と、
前記制御信号出力回路から出力される制御信号の周波数を、１または複数の走査毎に所
定数範囲内で変更することによって、前記走査期間を変更するように前記駆動回路を制御
するとともに、前記制御信号に同期して前記メモリに蓄積された表示データを読み出して
前記駆動回路に供給する制御回路と
を具備することを特徴とする電気光学装置。
【請求項２】
前記制御回路は、
前記走査期間の開始タイミングを規定するタイミング信号を一定周期で前記駆動回路に
出力し、
前記メモリに蓄積された表示データの読み出しは、前記制御信号および前記タイミング
信号に同期して行われる
ことを特徴とする請求項１に記載の電気光学装置。
【請求項３】
前記制御回路は、
前記走査期間の開始タイミングを規定するタイミング信号を前記駆動回路に出力し、
前記タイミング信号の出力タイミングを、当該タイミング信号によって開始される走査
期間の直前の走査期間終了後、所定時間経過するまでの期間内で走査毎に調整し、
前記メモリに蓄積された表示データの読み出しは、前記制御信号および前記タイミング
信号に同期して行われる
ことを特徴とする請求項１に記載の電気光学装置。
【請求項４】
前記制御回路は、
前記走査期間の開始タイミングを規定するタイミング信号を前記駆動回路に出力し、
前記タイミング信号の出力タイミングを、当該タイミング信号によって開始される走査
期間の直前の走査期間終了後から一定時間後のタイミングとし、
前記メモリに蓄積された表示データの読み出しは、前記制御信号および前記タイミング
信号に同期して行われる
ことを特徴とする請求項１に記載の電気光学装置。
【請求項５】
請求項１乃至請求項４のいずれかに記載の電気光学装置と、
前記光源から照射される光が前記表示パネルに照射されることにより得られる変調光を
投射する投射レンズと
を具備するプロジェクタ。
【請求項６】
複数の画素を有し、交流駆動する光源に光が照射される表示パネルを備える電気光学装
置の駆動方法であって、
所定の周波数の制御信号を出力し、
供給される表示データをメモリに蓄積した後に、前記表示データを所定のタイミングで
読み出し、
各走査において、前記メモリから読み出された表示データに応じて前記複数の画素の駆
動を行う期間が、前記制御信号の周波数に応じた走査期間となるように、前記表示パネル
を走査して駆動し、
前記制御信号の周波数を、１または複数の走査毎に所定数範囲内で変更することによっ
て、前記走査期間を変更するように前記表示パネルの駆動を制御し、
前記メモリに蓄積された表示データを読み出すタイミングは、前記制御信号に同期して
いる
ことを特徴とする電気光学装置の駆動方法。
【発明の詳細な説明】
【技術分野】
【０００１】
本発明は、プロジェクタ等の電気光学装置における表示品位を改善する技術に関する。
【背景技術】
【０００２】
液晶パネルのようなライトバルブを用いて縮小画像を生成し、この縮小画像を光学系に
よって拡大して投射するプロジェクタがある。このようなプロジェクタに用いられる光源
としては、高圧放電ランプなどが用いられ、その寿命を延ばすためにパルスや三角波を用
いた交流駆動を行っている（特許文献１参照）。これにより、光源は、極性が切り替わっ
た直後にはその光量が大きくなるため、駆動周波数の２倍の周波数で明滅している。一方
、液晶パネルは、例えば、ＰＡＬ方式では５０Ｈｚ、その倍速駆動方式では１００Ｈｚな
ど、一定の周波数で駆動され、その駆動周波数に応じて明滅している。
【０００３】
ここで、光源の駆動周波数と液晶パネルの駆動周波数との関係によっては、それぞれの
明滅の成分が干渉して低周波数成分が生成されることがあり、フリッカやスクロールする
帯（スクロールノイズ）となって、表示品質を悪化させることがあった。これを改善する
ために、液晶パネルの駆動周波数に対して、光源の駆動周波数をスクロールノイズが見え
にくい周波数とする技術が開示されている（特許文献２参照）。また、干渉成分が規則性
を持たないように、液晶パネルの駆動とは関係なく、光源の駆動周波数を変更する技術が
開示されている（特許文献３参照）。
【特許文献１】特開２００３−３６９９２号公報
【特許文献２】特開２００３−１５６７９８号公報
【特許文献３】特開２００６−７２１９６号公報
【発明の開示】
【発明が解決しようとする課題】
【０００４】
ここで、特許文献２の技術においては、液晶パネルの駆動周波数によっては、スクロー
ルノイズを低減させるための光源の駆動周波数が寿命に悪影響を与える周波数となる場合
がある。また、特許文献３の技術においては、光源の駆動周波数の変更の態様によっては
、変更後の駆動パルスが映像フレーム毎に類似しているとスクロールノイズが発生するこ
とがあったが、これを回避するためには、駆動周波数を頻繁に変える必要があり、回路負
荷が増大することになる。
【０００５】
本発明は、上述の事情に鑑みてなされたものであり、光源の駆動周波数を変化させるこ
となく、スクロールノイズの発生を抑えることができる電気光学装置、その駆動方法およ
びプロジェクタを提供することを目的とする。
【課題を解決するための手段】
【０００６】
上述の課題を解決するため、本発明は、複数の画素を有し、交流駆動する光源に光が照
射される表示パネルと、供給される表示データを蓄積し、当該表示データが読み出される
メモリと、所定の周波数の制御信号を出力する制御信号出力回路と、前記メモリから読み
出された表示データが供給され、各走査において、当該表示データに応じて前記複数の画
素の駆動を行う期間が、前記制御信号の周波数に応じた走査期間となるように、前記表示
パネルを走査して駆動する駆動回路と、前記制御信号出力回路から出力される制御信号の
周波数を、１または複数の走査毎に所定数範囲内で変更することによって、前記走査期間
を変更するように前記駆動回路を制御するとともに、前記制御信号に同期して前記メモリ
に蓄積された表示データを読み出して前記駆動回路に供給する制御回路とを具備すること
を特徴とする電気光学装置を提供する。この電気光学装置によれば、走査毎に、走査期間
を変更することにより、光源の明滅のタイミングと、このタイミングにおいて選択される
走査線の位置との関係を不規則に変化させることができるから、スクロールノイズの発生
を抑えることができる。
【０００７】
また、別の好ましい態様において、前記制御回路は、前記走査期間の開始タイミングを
規定するタイミング信号を一定周期で前記駆動回路に出力し、前記メモリに蓄積された表
示データの読み出しは、前記制御信号および前記タイミング信号に同期して行われること
を特徴とする。このようにすると、各走査において一の走査における期間を一定としつつ
、走査期間および帰線期間を変更することができる。
【０００８】
また、別の好ましい態様において、前記制御回路は、前記走査期間の開始タイミングを
規定するタイミング信号を前記駆動回路に出力し、前記タイミング信号の出力タイミング
を、当該タイミング信号によって開始される走査期間の直前の走査期間終了後、所定時間
経過するまでの期間内で走査毎に調整し、前記メモリに蓄積された表示データの読み出し
は、前記制御信号および前記タイミング信号に同期して行われることを特徴とする。この
ようにすると、光源の明滅のタイミングと、このタイミングにおいて選択される走査線の
位置との関係をより不規則に変化させることができる。
【０００９】
また、別の好ましい態様において、前記制御回路は、前記走査期間の開始タイミングを
規定するタイミング信号を前記駆動回路に出力し、前記タイミング信号の出力タイミング
を、当該タイミング信号によって開始される走査期間の直前の走査期間終了後から一定時
間後のタイミングとし、前記メモリに蓄積された表示データの読み出しは、前記制御信号
および前記タイミング信号に同期して行われることを特徴とする。このようにすると、帰
線期間を一定としてタイミング信号を出力でき、容易に走査期間の開始タイミングを調整
することができる。
【００１０】
なお、本発明は、いずれも電気光学装置のみならず、電気光学装置の駆動方法としても
、さらに、当該電気光学装置を有するプロジェクタとしても概念することができる。
【発明を実施するための最良の形態】
【００１１】
以下、本発明の実施形態について図面を参照して説明する。
【００１２】
＜実施形態＞
図１は、本発明の実施形態に係る電気光学装置を適用したプロジェクタの構成を示す平
面図である。図１に示すように、プロジェクタ２１００の内部には、交流駆動されるハロ
ゲンランプ等の白色光源からなるランプ２１０２が設けられている。
【００１３】
このランプ２１０２から射出された投射光は、内部に配置された３枚のミラー２１０６
および２枚のダイクロイックミラー２１０８によってＲ（赤）、Ｇ（緑）、Ｂ（青）の３
原色に分離されて、各原色に対応する表示パネル１００Ｒ、１００Ｇおよび１００Ｂにそ
れぞれ導かれる。なお、Ｂ色の光は、他のＲ色やＧ色と比較すると、光路が長いことによ
る損失を防ぐために、入射レンズ２１２２、リレーレンズ２１２３および出射レンズ２１
２４からなるリレーレンズ系２１２１を介して導かれる。
【００１４】
表示パネル１００Ｒ、１００Ｇおよび１００Ｂは、後述するように、Ｒ、Ｇ、Ｂの各色
に対応する表示データでそれぞれ駆動され、これにより、各色の縮小画像が形成される。
表示パネル１００Ｒ、１００Ｇ、１００Ｂによってそれぞれ形成された縮小画像、すなわ
ち、変調光は、ダイクロイックプリズム２１１２に３方向から入射する。そして、このダ
イクロイックプリズム２１１２において、Ｒ色およびＢ色の光は９０度に屈折する一方、
Ｇ色の光は直進する。したがって、各色の画像が合成された後、スクリーン２１２０には
、投射レンズ２１１４によってカラー画像が投射されることとなる。
【００１５】
なお、表示パネル１００Ｒ、１００Ｇおよび１００Ｂには、ダイクロイックミラー２１
０８によって、Ｒ、Ｇ、Ｂの各原色に対応する光が入射するため、カラーフィルタを設け
る必要はない。また、表示パネル１００Ｒ、１００Ｂの透過像は、ダイクロイックプリズ
ム２１１２により反射した後に投射されるのに対し、表示パネル１００Ｇの透過像はその
まま投射されるので、表示パネル１００Ｒ、１００Ｂにより形成される縮小画像と、表示
パネル１００Ｇにより形成される縮小画像とは、左右反転の関係にある。
【００１６】
次に、表示パネル１００Ｒ、１００Ｇ、１００Ｂの制御を伴う電気光学装置について説
明する。
【００１７】
図２は、電気光学装置１０の構成を示す図である。図２に示すように、電気光学装置１
０は、制御回路１２、メモリ１３、表示パネル１００Ｒ、１００Ｇ、１００Ｂ等を含む。
このうち、表示パネル１００Ｒ、１００Ｇ、１００Ｂの各々は、それぞれＲ、Ｇ、Ｂの原
色に対応して、駆動回路１４Ｒ、１４Ｇ、１４Ｂによってそれぞれ駆動される。
【００１８】
図３は、表示パネル１００Ｒ、駆動回路１４Ｒの構成を示す図である。図３においては
、表示パネル１００Ｒを例にとって説明しているが、表示パネル１００Ｒ、１００Ｇ、１
００Ｂの構成は互いに同一である。そのため、表示パネル１００Ｒについての以下の説明
は、表示パネル１００Ｇ、１００Ｂについても同様に適用されるが、表示パネル１００Ｒ
、１００Ｂにより形成される縮小画像と、表示パネル１００Ｇにより形成される縮小画像
とは、上述したように左右反転の関係となる。
【００１９】
図３に示すように、表示パネル１００Ｒでは、１０８０行の走査線１１２が横方向（Ｘ
方向）に延設され、１９２０列のデータ線１１４が縦方向（Ｙ方向）に延設されている。
縮小画像を形成する複数の画素１１０の各々は、これらの走査線１１２とデータ線１１４
との各交差に対応して配列している。このように、本実施形態において画素１１０は、縦
１０８０行×横１９２０列のマトリクス状に配列されるが、この配列に限定されるもので
はなく、複数の走査線と複数のデータ線との交差に対応して設けられていれば、どのよう
な配列としてもよい。
【００２０】
画素１１０は、液晶素子と、当該液晶素子の一端とデータ線との間でオンまたはオフ状
態となるスイッチングトランジスタ（以下、ＴＦＴという）とを有している。このうち、
液晶素子は、一端と、一定電位に保たれた他端との間で液晶を挟持した一種の容量であり
、その保持電圧の実効値に応じた透過率となる。ＴＦＴは、走査線１１２が選択されると
オンして液晶素子の一端をデータ線１１４に接続する構成となっている。
【００２１】
駆動回路１４Ｒは、走査線１１２を駆動するＹドライバ１４２と、データ線１１４を駆
動するＸドライバ１４４とに分かれ、このうち、Ｙドライバ１４２は、１、２、３、…、
１０８０行目の走査線１１２に走査信号Ｙ１、Ｙ２、Ｙ３、…、Ｙ１０８０を供給する。
詳細には、Ｙドライバ１４２は、本実施形態では、走査線１１２を１、２、３、…、１０
８０行目という順番で選択して、選択した走査線への走査信号を、上記ＴＦＴをオンさせ
るレベルとし、他の走査線への走査信号を、上記ＴＦＴをオフさせるレベルとする。これ
は、後述する制御回路１２から出力される走査制御信号Ｃｒｙによって制御される。一方
、Ｘドライバ１４４は、１、２、３、…、１９２０列目のデータ線１１４にデータ信号Ｘ
１、Ｘ２、Ｘ３、…、Ｘ１９２０を供給する。詳細には、Ｘドライバ１４４は、選択され
た走査線１１２に位置する画素１１０に対して、当該画素の階調値（表示データＤｒで指
定された階調値）に応じた電圧のデータ信号を、データ線１１４に供給する構成となって
いる。
【００２２】
これにより、当該画素における液晶素子は、階調に応じた電圧を保持することになって
、当該保持電圧に応じた透過率となる。なお、直流成分が印加されると、液晶を劣化させ
る場合があるため、液晶素子の駆動は交流駆動が原則である。そのため、Ｘドライバ１４
４は、同じ液晶素子に供給するデータ信号の電圧を、液晶素子の他端における電位に対し
て、高位側（正極性）と低位側（負極性）とで交互に切り替えて供給する。
【００２３】
ここで、本実施形態においては、駆動回路１４Ｒによって、走査線１１２が１行目から
１０８０行目まで順に選択されて、全ての画素１１０に対して電圧が供給されるまでの期
間を走査期間Ｆａという。そして、走査期間後、次に走査が開始されるまで、すなわち次
に１行目の走査線１１２が選択されるまでの期間を帰線期間Ｆｂという。これにより、一
の走査における期間は、走査期間Ｆａと帰線期間Ｆｂによって構成される。
【００２４】
図２に戻って説明を続ける。制御回路１２は、電気光学装置１０の各部の動作を制御す
るものである。詳細には、制御回路１２は、上位装置（図示省略）から同期信号Ｓｙｎｃ
に同期して供給される表示データＶｄを、一旦メモリ１３に転送して記憶させた後、表示
パネル１００Ｒ、１００Ｇ、１００Ｂの走査に同期して表示データＶｄをメモリ１３から
読み出す。制御回路１２は、表示データＶｄのうち、Ｒ成分の表示データＤｒを駆動回路
１４Ｒに、Ｇ成分の表示データＤｇを駆動回路１４Ｇに、Ｂ成分の表示データＤｂを駆動
回路１４Ｂに、それぞれ供給する。なお、このメモリ１３は、ＦＩＦＯ（Ｆｉｒｓｔ−Ｉ
ｎ  Ｆｉｒｓｔ−Ｏｕｔ）方式のメモリである。
【００２５】
また、制御回路１２は、これらの供給動作に同期するように、駆動回路１４Ｒ、１４Ｇ
、１４Ｂをそれぞれ走査制御信号Ｃｒｙ、Ｃｇｙ、Ｃｂｙにより制御する。この走査制御
信号Ｃｒｙ、Ｃｇｙ、Ｃｂｙは、それぞれ走査期間Ｆａの開始タイミングを規定するタイ
ミング信号ＤＹ、および後述する制御信号出力回路１５から出力されるクロック信号ＣＬ
Ｙによって構成される。制御回路１２は、制御信号出力回路１５から出力されるクロック
信号ＣＬＹの周波数を走査毎に変更する制御を行う。なお、この周波数の変更は、複数の
走査毎に行われるようにしてもよい。
【００２６】
制御信号出力回路１５は、制御回路１２によって制御された周波数のクロック信号ＣＬ
Ｙを生成する。クロック信号ＣＬＹは、以下に説明するように、その周波数によって走査
期間Ｆａを規定する制御信号である。
【００２７】
図４は、クロック信号ＣＬＹと、上述したＹドライバ１４２における走査信号Ｙ１、Ｙ
２、Ｙ３、…、Ｙ１０８０との関係を示す図である。図４に示すように、Ｙドライバ１４
２は、クロック信号ＣＬＹに応じて、走査信号Ｙ１、Ｙ２、・・・を発生させ、走査線１
１２を１、２、３、…、１０８０行目という順番で選択する。本実施形態においては、ク
ロック信号ＣＬＹの１周期Ｔｃの間に２行の走査線１１２が順に選択されることになるか
ら、１０８０行分の走査線１１２が選択される期間である走査期間Ｆａは、５４０×Ｔｃ
で表されることになる。このように、走査期間Ｆａは、クロック信号ＣＬＹの周期Ｔｃ、
すなわち周波数によって規定されることになる。
【００２８】
そのため、制御回路１２は、クロック信号ＣＬＹの周波数を変更すると、走査期間Ｆａ
が変更されることになる。したがって、制御回路１２は、クロック信号ＣＬＹの周波数を
、走査毎に所定数範囲内で変更することによって、走査期間Ｆａを変更するように、駆動
回路１４Ｒ、１４Ｇ、１４Ｂを制御することになる。ここで、所定数範囲内とは、例えば
、走査期間Ｆａが一の走査における期間を超えない範囲内とすればよい。言い換えれば、
制御回路１２は、タイミング信号ＤＹによって開始された走査期間Ｆａが、次のタイミン
グ信号ＤＹが出力される前に終了するように、制御信号出力回路１５から出力されるクロ
ック信号の周波数を変更するようにすればよい。すなわち、本実施形態においては、制御
回路１２は、５４０×Ｔｃが一の走査における期間より短くなるようにクロック信号ＣＬ
Ｙの周波数を制御するようにすればよい。なお、これにより周波数の下限が決定されるこ
とになるが、上限については決定してもよいし、決定しなくてもよい。決定する場合には
、例えば、一の走査線の選択期間が短くなることから、各画素に階調値に応じた電圧を充
分供給可能な期間、また、その電圧を保持可能な期間に応じて、周波数の上限を定めれば
よい。すなわち各画素のＴＦＴの特性に応じた周波数の上限としてもよい。また、適当な
周波数を上限、下限として予め設定しておいてもよい。
【００２９】
図２に戻って説明を続ける。点灯回路２０は、所定の周波数の駆動信号Ｆｌａを出力す
ることにより、ランプ２１０２を交流駆動する。ここで、駆動信号Ｆｌａの極性が切り替
わるときには、ランプ２１０２の高寿命化のために、駆動信号Ｆｌａのパルスの形状が調
整されている（図示省略）。この結果、ランプ２１０２は、極性が切り替わった直後には
その光量が大きくなるため、駆動信号Ｆｌａの周波数の２倍で明滅を繰り返している。
【００３０】
次に、上述した表示データＶｄについて説明する。表示データＶｄは、一定周期で供給
される同期信号Ｓｙｎｃに同期して、一定の供給速度で供給される。表示データＶｄは、
図５に示すように、１フレームの期間ｆは、入力走査期間ｆａおよび入力帰線期間ｆｂに
より構成されている。この入力走査期間ｆａにおいては、表示データＶｄは、１行１列〜
１行１９２０列、２行１列〜２行１９２０列、３行１列〜３行１９２０列、…、１０８０
行１列〜１０８０行１９２０列という画素の順番で供給される。一方、入力帰線期間ｆｂ
においては、表示データＶｄとしては何も供給されない。この次のフレームも同様であり
、以下、この供給が繰り返される。
【００３１】
次に、本実施形態に係る電気光学装置１０の動作について走査毎に、クロック信号ＣＬ
Ｙの周波数を変更しない場合の従来技術と比較して、図６、図７を用いて説明する。
【００３２】
図６は、従来技術におけるランプ２１０２と表示パネル１００との動作の関係を示す図
である。図６の横軸は時刻の進行を示している。従来技術においては、図６に示すように
、表示データＶｄと同期して同期信号Ｓｙｎｃが供給される。そして、駆動回路１４Ｒ、
１４Ｇ、１４Ｂは、表示データＤｒ、Ｄｇ、Ｄｂがタイミング信号ＤＹおよびクロック信
号ＣＬＹから構成される走査制御信号Ｃｒｙ、Ｃｇｙ、Ｃｂｙに同期して供給され、表示
パネル１００Ｒ、１００Ｇ、１００Ｂにおける１回の走査の期間が、走査期間Ｆａおよび
帰線期間Ｆｂになるように駆動する。このとき、表示データＶｄに係る入力走査期間ｆａ
と走査期間Ｆａとは同じ時間になるように、クロック信号ＣＬＹが制御される。また、タ
イミング信号ＤＹは、その出力タイミングが調整されることなく、同期信号Ｓｙｎｃと同
じ周期で出力されるから、表示データＶｄに係る入力帰線期間ｆｂと帰線期間Ｆｂとは同
じ時間となる。なお、Ｑ１、Ｑ２、・・・は、各走査に対応した表示データを示している
。
【００３３】
ここで、各走査の走査期間内における駆動信号Ｆｌａの極性が切り替わるタイミングは
、その走査期間内の相対的な関係が、図中の破線の矢印で示したように、走査毎に一定量
ずつずれていく。その結果、ランプ２１０２の光量が大きくなるタイミングと、そのタイ
ミングにおいて選択されている走査線の位置が少しずつずれていき、スクロールノイズと
して認識される。このとき、１回の走査に係る期間と駆動信号Ｆｌａの半分に対応する周
期の整数倍の期間とが近い関係にある場合ほど、相対的な関係がゆっくりずれていくこと
により視認されやすくなるため、スクロールノイズの影響は大きくなる。
【００３４】
図７は、本実施形態に係る電気光学装置１０のランプ２１０２と表示パネル１００との
動作の関係を示す図である。図７の横軸は時刻の進行を示している。また、Ｑ１、Ｑ２、
・・・は、図６同様に各走査に対応した表示データを示している。このときメモリ１３に
は、概ね１フレーム分の表示データＶｄが蓄積可能であって、Ｑ２に対応する表示データ
Ｖｄがメモリ１３に供給されているときには、Ｑ１に対応する表示データＤｒ、Ｄｇ、Ｄ
ｂがメモリ１３から読み出されるようになっている。
【００３５】
上述したように、制御回路１２は、走査毎にクロック信号ＣＬＹの周波数を変更するこ
とにより、走査期間Ｆａを変更する。本実施形態においては、制御回路１２は、クロック
信号ＣＬＹの周波数を変更するときには、所定数範囲内の周波数からランダムに選択した
周波数に変更する。そして、駆動回路１４Ｒ、１４Ｇ、１４Ｂは、このようにして出力さ
れるタイミング信号ＤＹおよびクロック信号ＣＬＹから構成される走査制御信号Ｃｒｙ、
Ｃｇｙ、Ｃｂｙに同期して、表示データＤｒ、Ｄｇ、Ｄｂが供給され、表示パネル１００
Ｒ、１００Ｇ、１００Ｂにおける一の走査における期間が、走査期間Ｆａ（Ｆａ０、Ｆａ
１、Ｆａ２、・・・）および帰線期間Ｆｂ（Ｆｂ０、Ｆｂ１、Ｆｂ２、・・・）になるよ
うに駆動する。
【００３６】
ここで、タイミング信号ＤＹは、その出力タイミングが調整されることなく、同期信号
Ｓｙｎｃと同様に、一定周期で出力されるため、一の走査における期間、すなわち走査期
間Ｆａと帰線期間Ｆｂとの合計の期間は変化しない。すなわち、制御回路１２によってク
ロック信号ＣＬＹの周波数が変更されることにより走査毎に走査期間Ｆａが変更され、そ
れに伴い、帰線期間Ｆｂも変更される。
【００３７】
ここで、各走査の走査期間Ｆａ内における駆動信号Ｆｌａの極性が切り替わるタイミン
グは、その走査期間Ｆａ内の相対的な関係が、図中の破線の矢印で示したように、走査毎
に不規則に変化する。その結果、ランプ２１０２の光量が大きくなるタイミングと、その
タイミングにおいて選択されている走査線の位置が変化しても、このずれの態様が不規則
に変化するため、スクロールノイズとして認識されない。
【００３８】
このように、本実施形態に係る電気光学装置１０においては、走査毎にクロック信号Ｃ
ＬＹの周波数を変更して走査期間Ｆａを変更するから、光源の駆動周波数を変化させるこ
となく、スクロールノイズの発生を抑えることができる。従って、どのような駆動周波数
の駆動信号Ｆｌａが用いられたランプ２１０２を用いても、スクロールノイズの発生を抑
えることができる。
【００３９】
以上、本発明の実施形態について説明したが、本発明は以下のように、さまざまな態様
で実施可能である。
【００４０】
＜変形例１＞
上述した実施形態においては、タイミング信号ＤＹは、一定周期で出力されるものとし
ていたが、制御回路１２は、タイミング信号ＤＹの出力タイミングを走査毎に調整するよ
うにしてもよい。この出力タイミングの調整は、例えば、このタイミング信号ＤＹによっ
て開始される走査期間の直前の走査期間終了後、所定時間経過するまでの期間内でランダ
ムに選択されたタイミングとなるように行えばよい。また、この所定時間とは、様々な時
間とすることができるが、例えば、メモリ１３に蓄積される表示データＶｄが、メモリ１
３が蓄積可能なデータ量に達するまでの時間とすればよい。
【００４１】
図８は、本変形例に係る電気光学装置１０のランプ２１０２と表示パネル１００との動
作の関係を示す図である。図８においては、実施形態における説明の図７と比べて、Ｑ１
、Ｑ３に係る走査期間Ｆａ１、Ｆａ３の開始タイミングを規定するタイミング信号ＤＹの
出力タイミングは、後のタイミングに調整される一方、Ｑ２、Ｑ４に係る走査期間Ｆａ２
、Ｆａ４の開始タイミングを規定するタイミング信号ＤＹの出力タイミングは、前のタイ
ミングに調整された場合について示している。
【００４２】
このようにすると、各走査期間Ｆａの開始タイミングも変更することができるから、開
始タイミングを変更しない場合に比べて、ランプ２１０２の光量が大きくなるタイミング
と、そのタイミングにおいて選択されている走査線の位置が走査毎に変化したときにおけ
るずれの態様の不規則性がより大きくなり、スクロールノイズの発生をより抑えることが
できる。特に、ランプ２１０２の光量が大きくなるタイミングに選択される走査線のうち
、走査期間Ｆａの最初の部分に対応する走査線については、その位置の変化の不規則性が
大きくなるから、表示パネル１００の上部におけるスクロールノイズの除去効果が大きな
ものとすることができる。
【００４３】
＜変形例２＞
上述した実施形態においては、制御回路１２は、走査毎に走査期間Ｆａを変更するため
に、クロック信号ＣＬＹの周波数を所定数範囲内からランダムに選択した周波数に変更し
ていたが、ランダムでなくてもよい。例えば、制御回路１２が候補となる周波数を規定し
、この周波数を複数記憶しておき、走査毎に候補となる周波数からランダム、または所定
のアルゴリズムで選択して、クロック信号ＣＬＹの周波数を変更するようにしてもよい。
なお、所定のアルゴリズムは、走査毎に選択される候補となる周波数の順番を規定するも
のであれば、どのようなアルゴリズムであってもよい。
【００４４】
また、上述した変形例１において、制御回路１２は、出力タイミングの調整を、このタ
イミング信号ＤＹによって開始される走査期間の直前の走査期間終了後、所定時間経過す
るまでの期間内でランダムに選択されたタイミングとなるように行っていたが、ランダム
でなくてもよい。例えば、制御回路１２が候補となるタイミングを走査期間終了後からタ
イミング信号が出力されるまでの調整時間として規定し、この調整時間を複数記憶してお
き、走査毎に候補となる調整時間からランダム、または所定のアルゴリズムで選択して、
その調整時間に対応してタイミング信号ＤＹを出力してもよい。なお、所定のアルゴリズ
ムは、走査毎に選択される候補となる調整時間の順番を規定するものであれば、どのよう
なアルゴリズムであってもよい。
【００４５】
＜変形例３＞
上述した変形例１において、帰線期間Ｆｂが一定になるようにして、タイミング信号Ｄ
Ｙの出力タイミングが規定されるようにしてもよい。この場合には、制御回路１２は、タ
イミング信号ＤＹの出力タイミングを、このタイミング信号ＤＹによって開始される走査
期間の直前の走査期間終了後から一定時間後のタイミングとすればよい。
【００４６】
実施形態においては、タイミング信号ＤＹは一定周期で出力されることにより一の走査
における期間は一定であり、走査期間Ｆａが各走査で変更されても、一の走査における走
査期間Ｆａと帰線期間Ｆｂとを合計した期間は一定であったが、このように、制御回路１
２は、タイミング信号ＤＹの出力タイミングを調整することにより、帰線期間Ｆｂを各走
査において一定とし、一の走査における期間を走査毎に変更するようにしてもよいし、変
形例１のように各走査における帰線期間Ｆｂ、一の走査における期間がそれぞれ変更され
るようにしてもよい。すなわち、制御回路１２は、クロック信号ＣＬＹの周波数を変更す
ることにより走査期間Ｆａを走査毎に変更すれば、帰線期間Ｆｂ、一の走査における期間
はどのような態様で定めてもよい。
【００４７】
＜変形例４＞
上述した実施形態においては、電気光学装置１０は、表示パネル１００Ｒ、１００Ｇ、
１００Ｂは透過型の液晶パネルを用いたものであったが、反射型であってもよい。また、
上述した実施形態においては、電気光学装置１０がプロジェクタに適用された場合につい
て説明したが、交流駆動の光源であるバックライトを有する直視型のディスプレイに用い
られてもよい。
【図面の簡単な説明】
【００４８】
【図１】本発明の実施形態に係るプロジェクタの構成を示す平面図である。
【図２】本発明の実施形態に係る電気光学装置の構成を示すブロック図である。
【図３】本発明の実施形態に係る表示パネルの構成を示す図である。
【図４】本発明の実施形態に係るクロック信号と走査信号の関係を示す図である。
【図５】本発明の実施形態に係る表示データを示す図である。
【図６】従来の電気光学装置の動作を示す図である。
【図７】本発明の実施形態に係る電気光学装置の動作を示す図である。
【図８】本発明の変形例１に係る電気光学装置の動作を示す図である。
【符号の説明】
【００４９】
１０…電気光学装置、１２…制御回路、１３…メモリ、１４Ｒ、１４Ｇ、１４Ｂ…駆動回
路、１５…制御信号出力回路、２０…点灯回路、１００Ｒ、１００Ｇ、１００Ｂ…表示パ
ネル、１１０…画素、２１００…プロジェクタ
【図１】
2009175214.tif 000003
【図２】
2009175214.tif 000004
【図３】
2009175214.tif 000005
【図４】
2009175214.tif 000006
【図５】
2009175214.tif 000007
【図６】
2009175214.tif 000008
【図７】
2009175214.tif 000009
【図８】
2009175214.tif 000010